(57)【要約】【課題】片手で使用することができるロールペーパーディスペンサに用いられるロールペーパーの提供。【解決手段】長尺状のペーパーと、ロールペーパーディスペンサにセットする際に用いられる、前記ペーパーの長さ方向の端部の一方に設けられたセットヘルパーとを具備し、前記セットヘルパーが外側に露出するように前記ペーパーを巻回して得られるロールペーパーであって、前記ペーパーが、１枚の又は２枚以上重ねられた長尺状のおもて紙と、１枚の又は２枚以上重ねられた長尺状のうら紙とを重ね、幅方向の縁部の両方をそれぞれ分離可能に結合させ、幅方向の全長にわたってミシン目を一定間隔で複数箇所設け、前記ミシン目の両側に隣接して幅方向の中央部において前記おもて紙と前記うら紙とを結合させて二つの結合部を設け、前記二つの結合部のうち先端側の結合部にサンドカッター掛け穴を設けて得られ、前記セットヘルパーがハンドル部を有する、ロールペーパー。【選択図】図１４
2009106348.tif 000002
【特許請求の範囲】
【請求項１】
長尺状のペーパーと、ロールペーパーディスペンサにセットする際に用いられる、前記ペーパーの長さ方向の端部の一方に設けられたセットヘルパーとを具備し、前記セットヘルパーが外側に露出するように前記ペーパーを巻回して得られるロールペーパーであって、
前記ペーパーが、１枚の又は２枚以上重ねられた長尺状のおもて紙と、１枚の又は２枚以上重ねられた長尺状のうら紙とを重ね、幅方向の縁部の両方をそれぞれ分離可能に結合させ、幅方向の全長にわたってミシン目を一定間隔で複数箇所設け、前記ミシン目の両側に隣接して幅方向の中央部において前記おもて紙と前記うら紙とを結合させて二つの結合部を設け、前記二つの結合部のうち先端側の結合部にサンドカッター掛け穴を設けて得られ、
前記セットヘルパーがハンドル部を有する、ロールペーパー。
【請求項２】
長尺状のペーパーと、ロールペーパーディスペンサにセットする際に用いられる、前記ペーパーの長さ方向の端部の一方に設けられたセットヘルパーとを具備し、前記セットヘルパーが外側に露出するように前記ペーパーを巻回して得られるロールペーパーであって、
前記ペーパーが、１枚の又は２枚以上重ねられた長尺状のおもて紙と、１枚の又は２枚以上重ねられた長尺状のうら紙とを重ね、幅方向の縁部の一方を分離可能に結合させ、他方を結合させ、幅方向の全長にわたってミシン目を一定間隔で複数箇所設け、前記ミシン目の両側に隣接して幅方向の中央部において前記おもて紙と前記うら紙とを結合させて二つの結合部を設け、前記二つの結合部のうち先端側の結合部にサンドカッター掛け穴を設けて得られ、
前記セットヘルパーがハンドル部を有する、ロールペーパー。
【請求項３】
請求項１に記載のロールペーパーを装着して用いられるロールペーパーディスペンサであって、
前記ロールペーパーを内部に収納するペーパーハウス部を具備し、
前記ペーパーハウス部が、前記ロールペーパーを挿入するための上部開口部と、前記ロールペーパーを使い切った後の芯を排出するための下部開口部とを有し、
前記ペーパーハウス部の側面部の手前側端部が、前記ロールペーパーの前記ミシン目の間隔と等しい長さで後部固定ガイドプレート部を形成し、
前記後部固定ガイドプレート部と向かい合って左右の開口部を形成するように、前部自在ガイドプレート部が設けられ、
前記後部固定ガイドプレート部と前部自在ガイドプレート部との上側合わせ部に、前記ロールペーパーの縁部の両方をそれぞれ分離し、拡幅させて、前記後部固定ガイドプレート部との間に前記ロールペーパーの前記うら紙を、前部自在ガイドプレート部との間に前記ロールペーパーの前記おもて紙を、それぞれ通すことができるように拡幅ガイドプレート部が設けられ、
前記拡幅ガイドプレート部の下部に、前記ロールペーパーの前記おもて紙と前記うら紙とが結合されていない中央部を拡幅する自在拡幅ゴマがバネによって設けられ、
前記前部自在ガイドプレート部の左右方向の中央部には、セットヘルパーカッター誘導溝が設けられ、
前記後部固定ガイドプレート部と前記前部自在ガイドプレート部との下側合わせ部が、サンドカッター部を形成している、ロールペーパーディスペンサ。
【請求項４】
前記ペーパーハウス部の前記ロールペーパーを収納する部分の内側に、前記ロールペーパー収納時に前記ロールペーパーと接触する回転ローラーが設けられている、請求項３に記載のロールペーパーディスペンサ。
【請求項５】
前記ペーパーハウス部の前記ロールペーパーを収納する部分の側面に、前記ロールペーパー収納時に前記ロールペーパーの芯が掛かるようにホルダー部が設けられている、請求項３又は４に記載のロールペーパーディスペンサ。
【請求項６】
請求項２に記載のロールペーパーを装着して用いられるロールペーパーディスペンサであって、
前記ロールペーパーを内部に収納するペーパーハウス部を具備し、
前記ペーパーハウス部が、ロールペーパーを挿入し、ロールペーパーを使い切った後の芯を排出するための開口部を有し、
前記ペーパーハウス部の下部には、ロールペーパーのミシン目の間隔と等しい長さで固定ガイドプレート部と自在ガイドプレート部とが向かい合って形成されており、
前記ロールペーパーの縁部の両方をそれぞれ分離し、拡幅させて、前記固定ガイドプレート部との間に前記ロールペーパーの前記おもて紙を、前記自在ガイドプレート部との間に前記ロールペーパーの前記うら紙を、それぞれ通すことができる拡幅ガイドプレート部と、前記拡幅ガイドプレート部の下部にバネによって設けられた、前記ロールペーパーの前記おもて紙と前記うら紙とが結合されていない中央部を拡幅する自在拡幅ゴマとを有し、閉じられた場合に、前記拡幅ガイドプレート部を、前記固定ガイドプレート部と前記自在ガイドプレート部との上側合わせ部に位置させるカバー部が設けられ、
前記固定ガイドプレート部の前後方向の中央部には、セットレバー誘導溝が設けられ、
前記後部固定ガイドプレート部と前記前部自在ガイドプレート部との下側合わせ部が、サンドカッター部を形成している、ロールペーパーディスペンサ。
【発明の詳細な説明】
【技術分野】
【０００１】
本発明は、ロールペーパー及びロールペーパーディスペンサに関する。
【背景技術】
【０００２】
図２５は、ロールペーパーをセットされた従来のロールペーパーディスペンサの模式的な斜視図である。
図２５に示されるような従来のロールペーパーディスペンサにおいては、ロールペーパーの上部に配置されたカバーの端部が、ペーパーを切り取る際のカッターの役目を果たす。このような従来のロールペーパーディスペンサは、一般に、一方の手でペーパーを引き、他方の手でカッターカバーなどを押さえて切り取るなど、両手を用いて使用される。
【発明の開示】
【発明が解決しようとする課題】
【０００３】
しかし、両手を用いて使用されることが想定されている従来のロールペーパーディスペンサは、高齢者、障害者等の手先が自由にならない人にとっては、極めて使用しにくい。また、手先の自由が利く人であっても、両手を塞がれることは不便である。
したがって、本発明は、片手で使用することができるロールペーパーディスペンサ及びそれに用いられるロールペーパーを提供することを課題とする。
【課題を解決するための手段】
【０００４】
本発明者は、上記課題を解決すべく鋭意研究した結果、新規ロールペーパー及びロールペーパーディスペンサを発明した。
すなわち、本発明は、以下の（１）〜（６）を提供する。
（１）長尺状のペーパーと、ロールペーパーディスペンサにセットする際に用いられる、前記ペーパーの長さ方向の端部の一方に設けられたセットヘルパーとを具備し、前記セットヘルパーが外側に露出するように前記ペーパーを巻回して得られるロールペーパーであって、
前記ペーパーが、１枚の又は２枚以上重ねられた長尺状のおもて紙と、１枚の又は２枚以上重ねられた長尺状のうら紙とを重ね、幅方向の縁部の両方をそれぞれ分離可能に結合させ、幅方向の全長にわたってミシン目を一定間隔で複数箇所設け、前記ミシン目の両側に隣接して幅方向の中央部において前記おもて紙と前記うら紙とを結合させて二つの結合部を設け、前記二つの結合部のうち先端側の結合部にサンドカッター掛け穴を設けて得られ、
前記セットヘルパーがハンドル部を有する、ロールペーパー。
【０００５】
（２）長尺状のペーパーと、ロールペーパーディスペンサにセットする際に用いられる、前記ペーパーの長さ方向の端部の一方に設けられたセットヘルパーとを具備し、前記セットヘルパーが外側に露出するように前記ペーパーを巻回して得られるロールペーパーであって、
前記ペーパーが、１枚の又は２枚以上重ねられた長尺状のおもて紙と、１枚の又は２枚以上重ねられた長尺状のうら紙とを重ね、幅方向の縁部の一方を分離可能に結合させ、他方を結合させ、幅方向の全長にわたってミシン目を一定間隔で複数箇所設け、前記ミシン目の両側に隣接して幅方向の中央部において前記おもて紙と前記うら紙とを結合させて二つの結合部を設け、前記二つの結合部のうち先端側の結合部にサンドカッター掛け穴を設けて得られ、
前記セットヘルパーがハンドル部を有する、ロールペーパー。
【０００６】
（３）上記（１）に記載のロールペーパーを装着して用いられるロールペーパーディスペンサであって、
前記ロールペーパーを内部に収納するペーパーハウス部を具備し、
前記ペーパーハウス部は、ロールペーパーを挿入するための上部開口部と、ロールペーパーを使い切った後の芯を排出するための下部開口部とを有し、
前記ペーパーハウス部の側面部の手前側端部が、前記ロールペーパーの前記ミシン目の間隔と等しい長さで後部固定ガイドプレート部を形成し、
前記後部固定ガイドプレート部と向かい合って左右の開口部を形成するように、前部自在ガイドプレート部が設けられ、
前記後部固定ガイドプレート部と前部自在ガイドプレート部との上側合わせ部に、前記ロールペーパーの縁部の両方をそれぞれ分離し、拡幅させて、前記後部固定ガイドプレート部との間に前記ロールペーパーの前記うら紙を、前部自在ガイドプレート部との間に前記ロールペーパーの前記おもて紙を、それぞれ通すことができるように拡幅ガイドプレート部が設けられ、
前記拡幅ガイドプレート部の下部に、前記ロールペーパーの前記おもて紙と前記うら紙とが結合されていない中央部を拡幅する自在拡幅ゴマがバネによって設けられ、
前記前部自在ガイドプレート部の左右方向の中央部には、セットヘルパーカッター誘導溝が設けられ、
前記後部固定ガイドプレート部と前記前部自在ガイドプレート部との下側合わせ部が、サンドカッター部を形成している、ロールペーパーディスペンサ。
（４）前記ペーパーハウス部の前記ロールペーパーを収納する部分の内側に、前記ロールペーパー収納時に前記ロールペーパーと接触する回転ローラーが設けられている、上記（３）に記載のロールペーパーディスペンサ。
（５）前記ペーパーハウス部の前記ロールペーパーを収納する部分の側面に、前記ロールペーパー収納時に前記ロールペーパーの芯が掛かるようにホルダー部が設けられている、上記（３）又は（４）に記載のロールペーパーディスペンサ。
【０００７】
（６）上記（２）に記載のロールペーパーを装着して用いられるロールペーパーディスペンサであって、
前記ロールペーパーを内部に収納するペーパーハウス部を具備し、
前記ペーパーハウス部は、ロールペーパーを挿入し、ロールペーパーを使い切った後の芯を排出するための開口部を有し、
前記ペーパーハウス部の下部には、ロールペーパーのミシン目の間隔と等しい長さで固定ガイドプレート部と自在ガイドプレート部とが向かい合って形成されており、
前記ロールペーパーの縁部の両方をそれぞれ分離し、拡幅させて、前記固定ガイドプレート部との間に前記ロールペーパーの前記おもて紙を、前記自在ガイドプレート部との間に前記ロールペーパーの前記うら紙を、それぞれ通すことができる拡幅ガイドプレート部と、前記拡幅ガイドプレート部の下部にバネによって設けられた、前記ロールペーパーの前記おもて紙と前記うら紙とが結合されていない中央部を拡幅する自在拡幅ゴマとを有し、閉じられた場合に、前記拡幅ガイドプレート部を、前記固定ガイドプレート部と前記自在ガイドプレート部との上側合わせ部に位置させるカバー部が設けられ、
前記固定ガイドプレート部の前後方向の中央部には、セットレバー誘導溝が設けられ、
前記後部固定ガイドプレート部と前記前部自在ガイドプレート部との下側合わせ部が、サンドカッター部を形成している、ロールペーパーディスペンサ。
【発明の効果】
【０００８】
本発明の第１の態様のロールペーパー及び本発明の第１の態様のロールペーパーディスペンサは、片手で使用することができる。
また、手先を差し入れたロールペーパー以外に触れることなく、手先に切り取ることができるため、衛生的であり、また、若干の手先のふるえ等があっても使用することができる。
【０００９】
本発明の第２の態様のロールペーパー及び本発明の第２の態様のロールペーパーディスペンサは、片手で使用することができる。
また、手先を差し入れたロールペーパー以外に触れることなく、手先に切り取ることができるため、衛生的であり、また、若干の手先のふるえ等があっても使用することができる。
さらに、指先等に汚れ物等をつけてしまうおそれなく使用することができる。よって、利用者が高齢者、障害者等であっても、簡便に利用することができる。
【発明を実施するための最良の形態】
【００１０】
以下、本発明のロールペーパー及びロールペーパーディスペンサを添付図面に基づいて詳細に説明する。
本発明の第１の態様のロールペーパーは、長尺状のペーパーと、ロールペーパーディスペンサにセットする際に用いられる、前記ペーパーの長さ方向の端部の一方に設けられたセットヘルパーとを具備し、前記セットヘルパーが外側に露出するように前記ペーパーを巻回して得られるロールペーパーであって、前記ペーパーが、１枚の又は２枚以上重ねられた長尺状のおもて紙と、１枚の又は２枚以上重ねられた長尺状のうら紙とを重ね、幅方向の縁部の両方をそれぞれ分離可能に結合させ、幅方向の全長にわたってミシン目を一定間隔で複数箇所設け、前記ミシン目の両側に隣接して幅方向の中央部において前記おもて紙と前記うら紙とを結合させて二つの結合部を設け、前記二つの結合部のうち先端側の結合部にサンドカッター掛け穴を設けて得られ、前記セットヘルパーがハンドル部を有する、ロールペーパーである。
【００１１】
図１４は、本発明の第１の態様のロールペーパー及びその製造工程の例を示す模式的な説明図である。
図１４に示されるロールペーパー２１は、長尺状のペーパーと、ロールペーパーディスペンサにセットする際に用いられる、前記ペーパーの長さ方向の端部の一方に設けられたセットヘルパー３１、３２とを具備し、セットヘルパー３１、３２が外側に露出するように前記ペーパーを巻回して得られるロールペーパーである。
前記ペーパーは、２枚重ねられた長尺状のおもて紙３４、３５と、２枚重ねられた長尺状のうら紙３６、３７とを重ね、幅方向の縁部２３1、２４1；２３2、２４2（２４2は図１１〜図１３参照。以下同じ。）の両方をそれぞれ分離可能に結合させ、幅方向の全長にわたってミシン目２７を一定間隔で複数箇所設け、ミシン目２７の両側に隣接して幅方向の中央部においておもて紙３４、３５とうら紙３６、３７とを結合させて二つの結合部２６、２８を設け、二つの結合部２６、２８のうち先端側の結合部２８にサンドカッター掛け穴２８1を設けて得られる。
おもて紙とうら紙とは、それぞれ１枚であってもよく、２枚以上であってもよい。
おもて紙とうら紙の幅方向の縁部の両方をそれぞれ分離可能に結合させる方法は、特に限定されず、例えば、圧着により行うことができる。また、おもて紙とうら紙の幅方向の縁部の両方を圧着するとともに、縁かがりと縁取りとを施すのが本発明の好ましい態様の一つである。
幅方向の全長にわたってミシン目２７を一定間隔で複数箇所設け、ミシン目２７の両側に隣接して幅方向の中央部においておもて紙３４、３５とうら紙３６、３７とを結合させて二つの結合部２６、２８を設け、二つの結合部２６、２８のうち先端側の結合部２８にサンドカッター掛け穴２８1を設ける方法は、特に限定されず、例えば、結合した縁部２３1、２４1；２３2、２４2を除いた中央部を圧着して合わせ止めして二つの結合部２６、２８を設け、同時に先端側の結合部２８にサンドカッター掛け穴２８1を設け、ついで、二つの結合部２６、２８の長さ方向の中央線上にミシン目２７を施す方法を用いることができる。ミシン目を設ける工程と、ミシン目の両側に隣接しておもて紙とうら紙とを結合させて二つの結合部を設ける工程と、二つの結合部のうち先端側の結合部にサンドカッター掛け穴を設ける工程とは、いずれが先に行われてもよく、同時に行われてもよい。
【００１２】
セットヘルパー３１、３２は、本発明の第１の態様のロールペーパーを、本発明の第１の態様のペーパーディスペンサにセットする際に用いられる。
セットヘルパー３１は、ハンドル部３１2を有する。ハンドル部３１2は、ペーパー結合部を介してペーパーに取り付けられている。ペーパー結合部とハンドル部３１2との間には、ハンドルミシン目３１1が設けられているのが好ましい。この場合、セット時に、ハンドルミシン目３１1において、ハンドル部３１2をペーパー結合部から切り外すことができる。
【００１３】
なお、上述したように、図１４においては、セットヘルパー３１のハンドル部３１2が、ペーパー結合部を介してペーパーに取り付けられているが、ハンドル部は直接ペーパーに取り付けられていてもよい。
図１６は、ハンドル部が直接ペーパーに取り付けられている態様のロールペーパーを示す模式的な部分斜視図である。
図１６に示されるロールペーパーは、セットヘルパー３１の全体が直接ペーパーに取り付けられており、その一部に挿通プレート挿入口３３1が設けられ、ハンドル部を構成している。すなわち、ハンドル部が直接ペーパーに取り付けられている。
【００１４】
本発明の第１の態様のロールペーパーは、製造方法を特に限定されない。以下、図１４に示される製造工程を例に挙げて説明する。
２枚重ねられた長尺状のおもて紙３４、３５は、両縁部プレスローラー３８により、両縁部を圧着され、縁かがりが施される。同様に、２枚重ねられた長尺状のうら紙３６、３７は、両縁部プレスローラー３８により、両縁部を圧着され、縁かがりが施される。
ついで、長尺状のおもて紙３４、３５と長尺状のうら紙３６、３７とが重ねられ、プレスローラー４０により、おもて紙３４、３５とうら紙３６、３７とが筒型を形成する適当な縦幅で幅方向の中央部が結合し、結合部２６、２８となる。結合部２８には、サンドカッター掛け穴抜き凸部２８2等により、サンドカッター掛け穴２８1が設けられる。ミシン目用プレスローラー４１1により、幅方向の全長にわたってミシン目２７が設けられる。
プレスローラー４０は、回転しながら、結合部２６、２８及びサンドカッター掛け穴２８1の部分を形成する。
ミシン目用プレスローラー４１1は、回転しながら、ミシン目２７を形成する。
これが一定間隔で離間して繰り返され、ペーパーが得られる。ペーパーは巻き取られる。
さらに、ペーパーは、カッター４２により、適当な長さで裁断される。裁断により形成された末端部４５に、上部プレス４３と下部プレス４４とにより、セットヘルパー３１、３２が圧着されて取り付けられ、ロールペーパー２１が得られる。
【００１５】
得られたロールペーパー２１は、おもて紙３４、３５及び長尺状のうら紙３６、３７の縁部２３1、２４1；２３2、２４2が分離可能に結合し、中央部において結合部２６、２８が結合している。
図１９は、使用時に切り取られた状態の本発明の第１の態様のロールペーパーを示す模式的な斜視図である。
図１９に示されるように、ロールペーパー２１は、使用時には、二つのミシン目２７に挟まれた部分において、縁部２３1、２４1；２３2、２４2が分離し、かつ、中央の結合部２６、２８が結合した筒状となる。
【００１６】
本発明の第１の態様のロールペーパーは、後に詳述する本発明の第１の態様のロールペーパーディスペンサにセットして用いられる。セット及び使用は、片手ですることができる。また、手先を差し入れたロールペーパー以外に触れることなく、手先に切り取ることができるため、衛生的であり、また、若干の手先のふるえ等があっても使用することができる。
【００１７】
本発明の第２の態様のロールペーパーは、長尺状のペーパーと、ロールペーパーディスペンサにセットする際に用いられる、前記ペーパーの長さ方向の端部の一方に設けられたセットヘルパーとを具備し、前記セットヘルパーが外側に露出するように前記ペーパーを巻回して得られるロールペーパーであって、前記ペーパーが、１枚の又は２枚以上重ねられた長尺状のおもて紙と、１枚の又は２枚以上重ねられた長尺状のうら紙とを重ね、幅方向の縁部の一方を分離可能に結合させ、他方を結合させ、幅方向の全長にわたってミシン目を一定間隔で複数箇所設け、前記ミシン目の両側に隣接して幅方向の中央部において前記おもて紙と前記うら紙とを結合させて二つの結合部を設け、前記二つの結合部のうち先端側の結合部にサンドカッター掛け穴を設けて得られ、前記セットヘルパーがハンドル部を有する、ロールペーパーである。
【００１８】
図１５は、本発明の第２の態様のロールペーパー及びその製造工程の例を示す模式的な説明図である。
図１５に示されるロールペーパー２２は、長尺状のペーパーと、ロールペーパーディスペンサにセットする際に用いられる、前記ペーパーの長さ方向の端部の一方に設けられたセットヘルパー３１、３２とを具備し、セットヘルパー３１、３２が外側に露出するように前記ペーパーを巻回して得られるロールペーパーである。
前記ペーパーは、２枚重ねられた長尺状のおもて紙３４、３５と、２枚重ねられた長尺状のうら紙３６、３７とを重ね、幅方向の縁部の一方（図１５においては、縁部２３、２４）を分離可能に結合させ、他方（図１５においては、縁部２９）を結合させ、幅方向の全長にわたってミシン目２７を一定間隔で複数箇所設け、ミシン目２７の両側に隣接して幅方向の中央部においておもて紙３４、３５とうら紙３６、３７とを結合させて二つの結合部２６、２８を設け、二つの結合部２６、２８のうち先端側の結合部２８にサンドカッター掛け穴２８1を設けて得られる。
おもて紙とうら紙とは、それぞれ１枚であってもよく、２枚以上であってもよい。
おもて紙とうら紙の幅方向の縁部の一方を分離可能に結合させる方法は、特に限定されず、例えば、圧着により行うことができる。また、おもて紙とうら紙の幅方向の縁部の一方を圧着するとともに、縁かがりと縁取りとを施すのが本発明の好ましい態様の一つである。
おもて紙とうら紙の幅方向の縁部の他方を結合させる方法は、特に限定されず、例えば、圧着により行うことができる。また、おもて紙とうら紙の幅方向の縁部の他方を圧着するとともに、縁かがりと縁取りとを施すのが本発明の好ましい態様の一つである。
幅方向の全長にわたってミシン目２７を一定間隔で複数箇所設け、ミシン目２７の両側に隣接して幅方向の中央部においておもて紙３４、３５とうら紙３６、３７とを結合させて二つの結合部２６、２８を設け、二つの結合部２６、２８のうち先端側の結合部２８にサンドカッター掛け穴２８1を設ける方法は、特に限定されず、例えば、結合した縁部２３、２４を除いた中央部を圧着して合わせ止めして二つの結合部２６、２８を設け、同時に先端側の結合部２８にサンドカッター掛け穴２８1を設け、ついで、二つの結合部２６、２８の長さ方向の中央線上にミシン目２７を施す方法を用いることができる。ミシン目を設ける工程と、ミシン目の両側に隣接しておもて紙とうら紙とを結合させて二つの結合部を設ける工程と、二つの結合部のうち先端側の結合部にサンドカッター掛け穴を設ける工程とは、いずれが先に行われてもよく、同時に行われてもよい。
【００１９】
セットヘルパー３１、３２は、本発明の第２の態様のロールペーパーを、本発明の第２の態様のペーパーディスペンサにセットする際に用いられる。
そのセットヘルパー３１、３２には、表折れ誘導模様３０と挿通プレート挿入口３３とが設けられている。
【００２０】
本発明の第２の態様のロールペーパーは、製造方法を特に限定されない。以下、図１５に示される製造工程を例に挙げて説明する。
２枚重ねられた長尺状のおもて紙３４、３５は、片縁部プレスローラー３９により、一方の縁部を圧着され、縁かがりが施される。同様に、２枚重ねられた長尺状のうら紙３６、３７は、片縁部プレスローラー３９により、一方の縁部を圧着され、縁かがりが施される。
ついで、長尺状のおもて紙３４、３５と長尺状のうら紙３６、３７とが重ねられ、プレスローラー４１により、おもて紙３４、３５とうら紙３６、３７とが筒型を形成する適当な縦幅で幅方向の中央部が結合し、結合部２６、２８となる。結合部２８には、サンドカッター掛け穴抜き凸部２８2等により、サンドカッター掛け穴２８1が設けられる。ミシン目用プレスローラー４１1により、幅方向の全長にわたってミシン目２７が設けられる。
プレスローラー４１は、回転しながら、結合部２６、２８、サンドカッター掛け穴２８1及び縁部２９の部分を形成する。
ミシン目用プレスローラー４１1は、回転しながら、ミシン目２７を形成する。
これが一定間隔で離間して繰り返され、ペーパーが得られる。ペーパーは巻き取られる。
さらに、ペーパーは、外側の末端部４５に、上部プレス４３と下部プレス４４とにより、セットヘルパー３１、３２が圧着されて取り付けられ、ロールペーパー２２が得られる。
【００２１】
得られたロールペーパー２２は、おもて紙３４、３５及び長尺状のうら紙３６、３７の縁部の一方（図１５においては、縁部２３、２４）が分離可能に結合し、他方（図１５においては、縁部２９）が結合し、中央部において結合部２６、２８が結合し、結合部２８にサンドカッター掛け穴２８1が設けられている。
図２０は、使用時に切り取られた状態の本発明の第２の態様のロールペーパーを示す模式的な斜視図である。
図２０に示されるように、ロールペーパー２２は、使用時には、二つのミシン目２７に挟まれた部分において、縁部２３、２４が分離し、かつ、縁部２９及び中央の結合部２６、２８が結合した袋状となる。
【００２２】
本発明の第２の態様のロールペーパーは、後に詳述する本発明の第２の態様のロールペーパーディスペンサにセットして用いられる。セット及び使用は、片手ですることができる。また、手先を差し入れたロールペーパー以外に触れることなく、手先に切り取ることができるため、衛生的であり、また、若干の手先のふるえ等があっても使用することができる。さらに、指先等に汚れ物等をつけてしまうおそれなく使用することができる。よって、利用者が高齢者、障害者等であっても、簡便に利用することができる。
【００２３】
図１４及び図１５に、ロールペーパー２１、２２の製造工程を模式的に示したが、本発明は、これらに限定されない。
例えば、同軸上に（無芯でも同じ。）長く巻き取り切断する方法を用いることができる（中間工程でローラーカッター等を用いることもできる。）。また、各プレスローラー等にプレス圧の制御装置等を設けることにより、筒型のロールペーパー２１のうら紙３６、３７を１枚にすることができ、また、筒型のロールペーパー２１のおもて紙３４、３５及び袋型のロールペーパー２２のおもて紙３４、３５及びうら紙３６、３７は、綿織状の素材を用いるなどの多種多様な量産上の工夫が可能となる。。
各縁部２３、２３1、２３2、２４、２４1、２４2、２９及び各中央の結合部２６、２８においては、素材に応じて熱着、粘着等を圧着と併用してもよい。
おもて紙３４、３５、うら紙３６、３７の左右両側の縁部２３、２３1、２３2、２４、２４1、２４2等では、手先が差し入れやすくなるように、結合部２６では後述する本発明のロールペーパーディスペンサのサンドカッター部１０を通過しやすくなるように、結合部２８ではサンドカッター部１０で引っ掛かりやすくなるように、圧着時に模様状の凹凸を形成させるのが好ましい。
セットヘルパー３１、３２は、ワンタッチでセットをすることができ、水に溶け流れやすい素材を用いて形成するのが好ましい。
セットヘルパー３１は、表折れ誘導模様３０を形成する塑性加工を施すこと及び表折れを維持することができる素材で形成するのが好ましい。
【００２４】
本発明の第１の態様のロールペーパーディスペンサは、本発明の第１の態様のロールペーパーを装着して用いられるロールペーパーディスペンサであって、前記ロールペーパーを内部に収納するペーパーハウス部を具備し、前記ペーパーハウス部は、ロールペーパーを挿入するための上部開口部と、ロールペーパーを使い切った後の芯を排出するための下部開口部とを有し、前記ペーパーハウス部の側面部の手前側端部が、前記ロールペーパーの前記ミシン目の間隔と等しい長さで後部固定ガイドプレート部を形成し、前記後部固定ガイドプレート部と向かい合って左右の開口部を形成するように、前部自在ガイドプレート部が設けられ、前記後部固定ガイドプレート部と前部自在ガイドプレート部との上側合わせ部に、前記ロールペーパーの縁部の両方をそれぞれ分離し、拡幅させて、前記後部固定ガイドプレート部との間に前記ロールペーパーの前記うら紙を、前部自在ガイドプレート部との間に前記ロールペーパーの前記おもて紙を、それぞれ通すことができるように拡幅ガイドプレート部が設けられ、前記拡幅ガイドプレート部の下部に、前記ロールペーパーの前記おもて紙と前記うら紙とが結合されていない中央部を拡幅する自在拡幅ゴマがバネによって設けられ、前記前部自在ガイドプレート部の左右方向の中央部には、セットヘルパーカッター誘導溝が設けられ、前記後部固定ガイドプレート部と前記前部自在ガイドプレート部との下側合わせ部が、サンドカッター部を形成している、ロールペーパーディスペンサである。
【００２５】
図１は、本発明の第１の態様のロールペーパーディスペンサの例の模式的な斜視図であり、図２は、本発明の第１の態様のロールペーパーディスペンサの例の模式的な断面図である。
図１及び図２に示されるロールペーパーディスペンサＡは、本発明の第１の態様のロールペーパーを内部に収納するペーパーハウス部５を具備する。
ペーパーハウス部５は、ロールペーパーを挿入するための上部開口部１3と、ロールペーパーを使い切った後の芯を排出するための下部開口部３とを有する。ロールペーパーディスペンサＡにおいては、上部開口部１3に、中央部の内側に逆止弁１2を有する逆止弁付カバー部１1が設けられており、図１に逆止弁付カバー部１1が閉じられた状態が、図２に逆止弁付カバー部１1が開かれた状態が、それぞれ示されている。
ペーパーハウス部５の側面部の手前側端部は、ロールペーパーのミシン目の間隔と等しい長さで後部固定ガイドプレート部９を形成している。
後部固定ガイドプレート部９と向かい合って左右の開口部を形成するように、前部自在ガイドプレート部７1が設けられ、前部自在ガイドプレート部７1の左右方向の中央部には、セットヘルパーカッター誘導溝８が設けられている。
後部固定ガイドプレート部９と前部自在ガイドプレート部７1との下側合わせ部は、サンドカッター部１０を形成している。
サンドカッター部１０には、ロールペーパーのサンドカッター掛け穴２８1に掛かるサンドカッター掛け穴掛け凸部１０1と、サンドカッター掛け穴掛け凸部１０1の先端を受けるためのサンドカッター掛け穴掛け凹部１０2とが設けられている。
図２１は、本発明の第１の態様のロールペーパーディスペンサの例の模式的な部分分解斜視図である。
図２１に示されるように、サンドカッター掛け穴掛け凸部１０1は、サンドカッター掛け穴２８1通って、サンドカッター掛け穴掛け凹部１０2と嵌合するように構成されている。
【００２６】
本発明の第１の態様のロールペーパーディスペンサにおいては、後部固定ガイドプレート部と前部自在ガイドプレート部との上側合わせ部に、ロールペーパーの縁部の両方をそれぞれ分離し、拡幅させて、後部固定ガイドプレート部との間にロールペーパーのうら紙を、前部自在ガイドプレート部との間にロールペーパーのおもて紙を、それぞれ通すことができるように拡幅ガイドプレート部が設けられている。
ロールペーパーディスペンサＡにおいては、後部固定ガイドプレート部９と前部自在ガイドプレート部７1との上側合わせ部に、ロールペーパーの縁部の両方をそれぞれ分離し、拡幅させて、後部固定ガイドプレート部９との間にロールペーパーのうら紙を、前部自在ガイドプレート部７1との間にロールペーパーのおもて紙を、それぞれ通すことができるように拡幅ガイドプレート部６4が設けられている。
【００２７】
本発明の第１の態様のロールペーパーディスペンサにおいては、ペーパーハウス部のロールペーパーを収納する部分の内側に、ロールペーパー収納時にロールペーパーと接触する回転ローラーが設けられているのが好ましい態様の一つである。ロールペーパーディスペンサＡのペーパーハウス部５には、内部に適当な数と径の回転ローラー５1が横装されている。
【００２８】
ペーパーハウス部５の下部開口部３を形成する縁部には、落下防止スプリングホック３1が縁部の前後の溝穴３2に嵌設されている。
【００２９】
ロールペーパーディスペンサＡのペーパーハウス部５の下部には、受け掛け兼用ハンガー部４が設けられている。
また、拡幅ガイドプレート部の下部に、ロールペーパーのおもて紙とうら紙とが結合されていない中央部を拡幅する自在拡幅ゴマがバネによって設けられている。
拡幅ガイドプレート部６4は、ショートカット型であり、自在拡幅ゴマ６1と自在拡幅ゴマバネ６3とを内蔵している。拡幅ガイドプレート部６4と自在拡幅ゴマ６1と自在拡幅ゴマバネ６3とは、左右拡幅ガイド上部６を構成している。
【００３０】
以下、ロールペーパーディスペンサＡに、本発明の第１の態様のロールペーパー（図１４に示されるロールペーパー２１）をセットする方法の一例を説明する。
まず、逆止弁付カバー部１1を開き、あらかじめ受け掛け兼用ハンガー部４に掛けておいたロールペーパー２１を、受け掛け兼用ハンガー部４から取り外し、セットヘルパー３１、３２が上部に位置する状態で、残置されている空芯の上から挿入し（ロールペーパーが芯なしであったり、新しく使用したりするなど残置されている空芯がない場合は、そのまま挿入し）、落下防止スプリングホック３1を解放させ、空芯を下部開口部３を通して落下させて受け掛け兼用ハンガー部４の上に受け置かせる。
【００３１】
ついで、ペーパーハウス５内に置換されたロールペーパー２１のセットヘルパー３１に設けられているハンドル部３１2を引きながら、左右拡幅ガイド上部６と、後部固定ガイドプレート部９との間に裏部セットヘルパー３２を差し込み、引き下げながら、つぎに左右拡幅ガイド上部６の拡幅ガイドプレート部６4と前部自在ガイドプレート部７1との間にセットヘルパー３１を差し込み、セットヘルパーカッター誘導溝８に沿ってなお引き下ろし、ハンドルミシン目３１1でセットヘルパー３１からハンドル部３１2を切りはずし、逆止弁付カバー部１1を閉じ、下部にセットヘルパー３１、３２が残る１筒目を使用時と同様にして取り除き、ロールペーパー２１のセットが完了する。
【００３２】
なお、ロールペーパー２１のセットが完了する前に不手際等により、セットヘルパー３１が外れてしまうことがありうるが、以下に説明するようにしてセットすることができる。
図２４は、セットヘルパーが外れた状態の本発明の第１の態様のロールペーパーを示す模式的な部分正面図である。
図２４に示されるように、ロールペーパー２１からセットヘルパー３１が外れてしまった場合は、おもて紙の先端部の縁部２３1、２３2を内側に折り込んで、結合部２８を指先でつまんで下に引き下ろすことにより、セットを完了させることができる。また、ロールペーパー２１のサンドカッター掛け穴２８1に棒等を差し込んで引き下ろすことによっても、セットを完了させることができる。
【００３３】
つぎに、ロールペーパーディスペンサＡにセットされた本発明の第１の態様のロールペーパー（図１４に示されるロールペーパー２１）から、使用時にペーパーを切り取る方法を説明する。
縁部２３1、２３2、２４1、２４2が前部自在ガイドプレート部７1の両側から露出した状態でセットされた、左右の開口部２５1、２５2（２５2は図１１〜図１３参照。以下同じ。）のいずれか一方に手先を差し入れ、前部自在ガイドプレート部７1や後部固定ガイドプレート部９等を当てにして、この手先で重みを掛けて引き下ろし、サンドカッター部１０を通過させる。これにより、取り出すロールペーパー２１以外どこにも触れることなく、一筒ずつのペーパーを切り取って使用することができる。
【００３４】
本発明の第１の態様のロールペーパーディスペンサは、上述したように、本発明の第１の態様のロールペーパーをセットして用いられる。セット及び使用は、片手ですることができる。また、手先を差し入れたロールペーパー以外に触れることなく、手先に切り取ることができるため、衛生的であり、また、若干の手先のふるえ等があっても使用することができる。
【００３５】
図３は、本発明の第１の態様のロールペーパーディスペンサの別の例の模式的な斜視図である。
図３に示されるロールペーパーディスペンサＢは、ロールペーパーディスペンサＡと基本的に同じであるが（模式的な断面図は図２に表される。）、前部自在ガイドプレート部７1の代わりに、前部自在ガイドプレート部７を有する点で異なる。前部自在ガイドプレート部７は、左右方向の幅がペーパーハウス５の幅と等しいので、ロールペーパー２１をセットした場合に、前部自在ガイドプレート部７1とは異なり、縁部２３1、２３2が手前側に露出しない。
【００３６】
ロールペーパーディスペンサＢに、本発明の第１の態様のロールペーパー（図１４に示されるロールペーパー２１）をセットする方法及びロールペーパーディスペンサＢにセットされた本発明の第１の態様のロールペーパー（図１４に示されるロールペーパー２１）から、使用時にペーパーを切り取る方法は、上述したロールペーパーディスペンサＡの場合と同様である。
【００３７】
図４は、本発明の第１の態様のロールペーパーディスペンサの更に別の例の模式的な斜視図であり、図５及び図６は、それぞれロールペーパーをセットする際の本発明の第１の態様のロールペーパーディスペンサの更に別の例の模式的な斜視図であり、図７は、本発明の第１の態様のロールペーパーディスペンサの更に別の例の模式的な縦断面図であり、図１７は、ロールペーパーをセットした状態の本発明の第１の態様のロールペーパーディスペンサの更に別の例の模式的な縦断面図であり、図１８は、本発明の第１の態様のロールペーパーディスペンサの更に別の例の自在拡幅ゴマを通るほぼ水平方向の模式的な部分断面図である。
図４〜図７並びに図１７及び図１８に示されるロールペーパーディスペンサＣは、ロールペーパーディスペンサＢと基本的に同じであるが、以下の３点で異なる。
第１に、ロールペーパーディスペンサＢは、５個の回転ローラー５1を有し、これらにより使用時にロールペーパーを回転させて送り出す機構となっているが、ロールペーパーディスペンサＣは、ペーパーハウス部５のロールペーパーを収納する部分の側面に形成された左右自在ホルダー部２と１個の回転ローラー５1とを有し、これらにより使用時にロールペーパーを回転させて送り出す機構となっている。これに伴い、ロールペーパーディスペンサＢにおける逆止弁付カバー部１1の代わりに、ロールペーパーディスペンサＣには、左右両側部の内側にストッパー１5を有する左右自在ホルダーストッパー付カバー部１が設けられている。
図２２は、左右自在ホルダー部の状態を説明するための模式的な部分断面図である。図２２（Ａ）は、ロールペーパーがセットされた状態を、図２２（Ｂ）は、ロールペーパーが外される状態を示す。
図２２（Ａ）に示されるように、ロールペーパーがセットされた状態においては、ロールペーパー２１の円筒形の芯２１1の両端に左右自在ホルダー部２の凸部が嵌合し、さらに、左右自在ホルダーストッパー付カバー部１のストッパー１5により、左右自在ホルダー部２が安定するようにその外側から押し付けている。
図２２（Ｂ）に示されるように、ロールペーパーが外される状態においては、ロールペーパー２１の円筒形の芯２１1の両端から左右自在ホルダー部２の凸部が外れて、左右自在ホルダー部２の凸部を押して、左右自在ホルダー部２が外側に開いている。
本発明の第１の態様のロールペーパーディスペンサにおいては、上記のように、ペーパーハウス部のロールペーパーを収納する部分の側面に、ロールペーパー収納時にロールペーパーの芯が掛かるようにホルダー部が設けられているのが好ましい態様の一つである。
【００３８】
第２に、ロールペーパーディスペンサＢには、ペーパーハウス部５の下部開口部３に、落下防止スプリングホック３1が縁部の前後の溝穴３2に嵌設されているが、ロールペーパーディスペンサＣには、ペーパーハウス部５の下部開口部３に、落下防止スプリングホック３1及び溝穴３2は存在しない。
第３に、ロールペーパーディスペンサＢの拡幅ガイドプレート部６4の代わりに、ロールペーパーディスペンサＣには、拡幅ガイドプレート部６2が設けられている。
【００３９】
以下、ロールペーパーディスペンサＣに、本発明の第１の態様のロールペーパー（図１４に示されるロールペーパー２１）をセットする方法の一例を説明する。
まず、左右自在ホルダーストッパー付カバー部１を開き、閉じ挟まれていた左右自在ホルダー部２が左右の外側方向に自在運動することを可能にして、あらかじめ受け掛け兼用ハンガー部４に掛けておいたロールペーパー２１を、受け掛け兼用ハンガー部４から取り外し、セットヘルパー３１、３２が上部に位置する状態で、左右自在ホルダー部２に受け挟まれて残置されている空芯の上から挿入し、左右自在ホルダー部２から空芯を下部開口部３を通して落下させて受け掛け兼用ハンガー部４に受け置かせる。
【００４０】
ついで、置換されたロールペーパー２１のセットヘルパー３１に設けられているハンドル部３１2を引きながら、左右拡幅ガイド上部６と、後部固定ガイドプレート部９との間にセットヘルパー３２を差し込み、引き下げながら、つぎに左右拡幅ガイド上部６と、前部自在ガイドプレート部７との間にセットヘルパー３１を差し込み（図５参照。）、セットヘルパーカッター誘導溝８に沿ってなお引き下ろし、ハンドルミシン目３１1でセットヘルパー３１からハンドル部３１2を切りはずす（図６参照。）。
図２３は、セットヘルパーがセットヘルパーカッター誘導溝に沿って引き下ろされる状態を示す模式的な部分正面図である。図２３（Ａ）は、セットヘルパーがセットヘルパーカッター誘導溝に差し込まれた状態を、図２３（Ｂ）は、セットヘルパーがセットヘルパーカッター誘導溝に沿って引き下ろされた状態を示す。
図２３に示されるように、ハンドル部３１2がセットヘルパーカッター誘導溝８より手前側になり、セットヘルパー３１のハンドル部３１2以外の部分がセットヘルパーカッター誘導溝８より奥側になるような状態（図２３（Ａ）参照。）から、ハンドル部３１2をセットヘルパーカッター誘導溝８に沿って引き下ろしていくと、セットヘルパーカッター誘導溝８が下に行くに従って狭くなっているため、ハンドルミシン目３１1が両側から少しずつ切れ目を入れられていく（図２３（Ｂ）参照。）。ハンドル部３１2がセットヘルパーカッター誘導溝８の最下部に到達した状態で、ハンドル部３１2を更に下に引っ張り、ハンドルミシン目３１1の切れ目を入れられていない部分で切り取る。なお、これは、ロールペーパーディスペンサＡ及びＢにおいてもほぼ同じである。
その後、左右自在ホルダーストッパー付カバー部１を閉じ、下部にセットヘルパー３１、３２が残る１筒目を使用時と同様にして取り除き、ロールペーパーのセットが完了する。
ロールペーパーディスペンサＣにロールペーパーのセットが完了した状態では、ロールペーパー２１の縁部２３1、２３2、２４1、２４2及び中央部は、自在拡幅ゴマ６1及び拡幅ガイドプレート部６4により、拡幅されている（図１７及び図１８参照。）。なお、これは、ロールペーパーディスペンサＡ及びＢのそれぞれにロールペーパーのセットが完了した状態とほぼ同じである。
【００４１】
つぎに、ロールペーパーディスペンサＣにセットされた本発明の第１の態様のロールペーパー（図１４に示されるロールペーパー２１）から、使用時にペーパーを切り取る方法を説明する。
左右の開口部２５1、２５2付近に一体的に設けられた延設型拡幅ガイドプレート部６２等を当てにすることで、手先に若干の震えがある場合等であっても容易に差し入れられるようにした左右の開口部２５1、２５2のいずれか一方に手先を差し入れ、この手先で重みを掛けて引き下ろし、サンドカッター部１０を通過させる。これにより、一筒ずつのペーパーを手先に切り取って使用することができる。
【００４２】
図１１〜図１３は、いずれも自在拡幅ゴマの働きを説明する模式的な部分断面図である。図１１は、ロールペーパーの中央部が通過する直前の状態を示し、図１２は、ロールペーパーの中央部が通過している状態を示し、図１３は、ロールペーパーの中央部が通過した直後の状態を示す。
ロールペーパーディスペンサＡ、Ｂ及びＣにおいては、自在拡幅ゴマ６1は、図１１〜図１３に示されるように、ロールペーパー２１の中央部の裏表を合わせ止められ狭まれている部分にまで手先を差し入れやすいように、各拡幅ガイドプレート部６4又は６2に内蔵される自在拡幅ゴマ６1が自在拡幅ゴマバネ６3によって、結合部２６が通過するたびに押し下げられ（図１２参照。）、解放される（図１３参照。）という動きを繰り返す。
これにより、自在拡幅ゴマ６1は、各拡幅ガイドプレート部６4又は６2がロールペーパー２１の縁部２３1、２３2、２４1、２４2において拡幅を行うとともに、中央部のおもて紙３４、３５とうら紙３６、３７とが結合されていない部分の拡幅を行う。
【００４３】
ロールペーパーディスペンサＡ、Ｂ及びＣにおいては、サンドカッター部１０を、段差凹凸等の形状とともに、ロールペーパー２１の結合部２８等を挟み止めやすい弾性素材等を併用して形成するのが好ましい。これにより、自在ガイドプレート部７1又は７が固定ガイドプレート部９に加える狭圧を低く設定することができる。
【００４４】
なお、ロールペーパーディスペンサＡ、Ｂ及びＣにおいては、セットヘルパー３１、３２を少し厚目のもの等で形成し、ワンタッチで左右拡幅ガイド上部６に、差し入れ指先などでセットを行うなどの簡素化を図ることができる。
【００４５】
本発明の第２の態様のロールペーパーディスペンサは、本発明の第２の態様のロールペーパーを装着して用いられるロールペーパーディスペンサであって、前記ロールペーパーを内部に収納するペーパーハウス部を具備し、前記ペーパーハウス部は、ロールペーパーを挿入し、前記ロールペーパーを使い切った後の芯を排出するための開口部を有し、前記ペーパーハウス部の下部には、前記ロールペーパーのミシン目の間隔と等しい長さで固定ガイドプレート部と自在ガイドプレート部とが向かい合って形成されており、前記ロールペーパーの縁部の両方をそれぞれ分離し、拡幅させて、前記固定ガイドプレート部との間に前記ロールペーパーの前記おもて紙を、前記自在ガイドプレート部との間に前記ロールペーパーの前記うら紙を、それぞれ通すことができる拡幅ガイドプレート部と、前記拡幅ガイドプレート部の下部にバネによって設けられた、前記ロールペーパーの前記おもて紙と前記うら紙とが結合されていない中央部を拡幅する自在拡幅ゴマとを有し、閉じられた場合に、前記拡幅ガイドプレート部を、前記固定ガイドプレート部と前記自在ガイドプレート部との上側合わせ部に位置させるカバー部が設けられ、前記固定ガイドプレート部の前後方向の中央部には、セットレバー誘導溝が設けられ、前記後部固定ガイドプレート部と前記前部自在ガイドプレート部との下側合わせ部が、サンドカッター部を形成している、ロールペーパーディスペンサである。
【００４６】
図８は、ロールペーパーをセットされた本発明の第２の態様のロールペーパーディスペンサの模式的な斜視図であり、図９は、ロールペーパーをセットする際の本発明の第２の態様のロールペーパーディスペンサの模式的な斜視図であり、図１０は、本発明の第２の態様のロールペーパーディスペンサの模式的な部分断面図である。
図８〜図１０に示されるロールペーパーディスペンサＤは、本発明の第２の態様のロールペーパーを内部に収納するペーパーハウス部１９を具備する。
ペーパーハウス部１９は、ロールペーパーを挿入し、ロールペーパーを使い切った後の芯を排出するための開口部１4を有する。ロールペーパーディスペンサＤにおいては、開口部１4にカバー部１１が設けられており、図８にカバー部１１が閉じられた状態が、図９にカバー部１１が開かれた状態が、それぞれ示されている。カバー部１１には、自在拡幅ゴマ６1を内蔵した拡幅ガイドプレート部６4が設けられている。
ペーパーハウス部１９の下部には、ロールペーパーのミシン目の間隔と等しい長さで固定ガイドプレート部１７と自在ガイドプレート部１８とが向かい合って形成されている。
固定ガイドプレート部１７と自在ガイドプレート部１８との下側合わせ部は、サンドカッター部１０を形成している。
固定ガイドプレート部１７の前後方向の中央部には、セットレバー誘導溝２０が設けられている。
【００４７】
本発明の第２の態様のロールペーパーディスペンサにおいては、ロールペーパーの縁部の両方をそれぞれ分離し、拡幅させて、固定ガイドプレート部との間にロールペーパーのおもて紙を、自在ガイドプレート部との間にロールペーパーのうら紙を、それぞれ通すことができる拡幅ガイドプレート部と、拡幅ガイドプレート部の下部にバネによって設けられた、ロールペーパーのおもて紙とうら紙とが結合されていない中央部を拡幅する自在拡幅ゴマとを有し、閉じられた場合に、拡幅ガイドプレート部を、固定ガイドプレート部と自在ガイドプレート部との上側合わせ部に位置させるカバー部が設けられている。
ロールペーパーディスペンサＤにおいては、ロールペーパーの縁部の両方をそれぞれ分離し、拡幅させて、固定ガイドプレート部１７との間にロールペーパーのおもて紙を、自在ガイドプレート部１８との間にロールペーパーのうら紙を、それぞれ通すことができる拡幅ガイドプレート部６4と、拡幅ガイドプレート部６4の下部にバネ６3によって設けられた、ロールペーパーのおもて紙とうら紙とが結合されていない中央部を拡幅する自在拡幅ゴマ６1とを有し、閉じられた場合に、拡幅ガイドプレート部６4を、固定ガイドプレート部１７と自在ガイドプレート部１８との上側合わせ部に位置させるカバー部１１が設けられている。
拡幅ガイドプレート部６4は、ショートカット型であり、自在拡幅ゴマ６1と自在拡幅ゴマバネ６3とを内蔵している。
【００４８】
ペーパーハウス部１９の内部には、ホルダーローラー１９1が設けられている。
ペーパーハウス部１９は、スプリング１５1を収納するスプリングハウス部１５と、セットレバー部１６とを有する。
ペーパーハウス部１９の下側には、下部回動誘導凹部１４が設けられている。
ペーパーハウス部１９の上部には、回転自在天井部１２が設けられている。
【００４９】
ペーパーハウス部１９は、取り付けプレート部１３を有し、取り付けプレート部１３の上部には回動自在天井凸部１２2が、下部には下部回動誘導凸部１４1が設けられている。
固定ガイドプレート部１７と自在ガイドプレート部１８との上側合わせ部には、固定ガイドプレート部１７との間にロールペーパーのおもて紙を、自在ガイドプレート部１８との間にロールペーパーのうら紙を、それぞれ通すことができるように拡幅ガイドプレート部６4が設けられている。
【００５０】
以下、ロールペーパーディスペンサＤに、本発明の第２の態様のロールペーパー（図１５に示されるロールペーパー２２）をセットする方法の一例を説明する。
まず、ガイドプレート付カバー部１１を開き、ロールペーパー２２を、図９に示されるように、セットヘルパー３１、３２を折り下げ、縁部２３、２４を手前にして、ホルダーローラー１９1が芯に挿入されるように、図９中矢印の向きに、ペーパーハウス部１９の内部に挿入する。ロールペーパー２２の縁部２３、２４は、表折れ誘導模様３０で広げられている。その後、拡幅ガイドプレート付カバー部１１を閉じる。
【００５１】
ついで、セットレバー１６1を下に押すことで、セットレバー部１６の内部に設けられた挿通プレート１６2が遊び溝１６3を介して挿通プレート挿入口３３に挿通される。さらに、セットレバー１６1を、セットレバー誘導溝２０に沿ってなお引き下ろし、セットヘルパー３１、３２をサンドカッター部１０まで運び下ろし、セットヘルパー３１、３２が下部に残ったままの一袋目を使用時と同様にして取り除きセットが完了する。
【００５２】
つぎに、袋型ロールペーパーディスペンサＤにセットされた袋型ロールペーパーから、使用時にペーパーを切り取る方法を説明する。
手先を差し入れやすい向きに回動させ、開口部２５に手先を差し入れ、固定ガイドプレート部１７や自在ガイドプレート部１８等を当てにするなどして、手先で重みを掛けて引き下ろし、サンドカッター部１０を通過させる。これにより、一袋ずつのペーパーを手先に切り取って使用することができる。
【００５３】
セットレバー１６1は、手先を放すと、スプリングハウス部１５に内挿されたスプリング１５1によって元の位置であるセットレバー誘導溝２０の上部に戻る。
回転自在天井部１２は、回動が適当な一定角度の間隔で駐止することができるように、駐止凹凸部１２4等を離間させて設けられる。
回動自在天井凹部１２1及び回動自在天井凸部１２2は、容易に脱落しないように、回動自在天井部嵌合間隙１２3を挟んで嵌合によって横向き対向に枢設される。
取り付けプレート部１３の下部には、下部回動誘導凹部１４に嵌合するように、下部回動誘導凸部１４1を設けて支承する。
【００５４】
ロールペーパーディスペンサＤにおける自在拡幅ゴマ６1、自在拡幅ゴマバネ６3及び拡幅ガイドプレート部６4の作用は、ロールペーパーディスペンサＡ、Ｂ及びＣにおけるのと同様である。
【００５５】
ロールペーパーディスペンサＤにおいては、サンドカッター部１０を、段差凹凸等の形状とともに、ロールペーパー２２の結合部２８等を挟み止めやすい弾性素材等を併用して形成するのが好ましい。これにより、自在ガイドプレート部１８が固定ガイドプレート部１７に加える狭圧を低く設定することができる。
【００５６】
なお、本発明の第２の態様のロールペーパーディスペンサにおいては、挿通プレート挿入口３３を指掛け口として、挿通プレート１６2の働きを指先等で代替して行い、セットレバー部１６、スプリング１５1、スプリングハウス部１５等を省略するなど、用途に応じて簡素化を図ることができる。
【００５７】
本発明の第２の態様のロールペーパーディスペンサは、上述したように、本発明の第２の態様のロールペーパーをセットして用いられる。セット及び使用は、片手ですることができる。また、手先を差し入れたロールペーパー以外に触れることなく、手先に切り取ることができるため、衛生的であり、また、若干の手先のふるえ等があっても使用することができる。さらに、指先等に汚れ物等をつけてしまうおそれなく使用することができる。よって、利用者が高齢者、障害者等であっても、簡便に利用することができる。
【図面の簡単な説明】
【００５８】
【図１】本発明の第１の態様のロールペーパーディスペンサの例の模式的な斜視図である。
【図２】本発明の第１の態様のロールペーパーディスペンサの例の模式的な断面図である。
【図３】本発明の第１の態様のロールペーパーディスペンサの別の例の模式的な斜視図である。
【図４】本発明の第１の態様のロールペーパーディスペンサの更に別の例の模式的な斜視図である。
【図５】ロールペーパーをセットする際の本発明の第１の態様のロールペーパーディスペンサの更に別の例の模式的な斜視図である。
【図６】ロールペーパーをセットする際の本発明の第１の態様のロールペーパーディスペンサの更に別の例の模式的な斜視図である。
【図７】本発明の第１の態様のロールペーパーディスペンサの更に別の例の模式的な縦断面図である。
【００５９】
【図８】ロールペーパーをセットされた本発明の第２の態様のロールペーパーディスペンサの模式的な斜視図である。
【図９】ロールペーパーをセットする際の本発明の第２の態様のロールペーパーディスペンサの模式的な斜視図である。
【図１０】本発明の第２の態様のロールペーパーディスペンサの模式的な部分断面図である。
【図１１】自在拡幅ゴマの働きを説明する模式的な部分断面図である。
【図１２】自在拡幅ゴマの働きを説明する模式的な部分断面図である。
【図１３】自在拡幅ゴマの働きを説明する模式的な部分断面図である。
【図１４】本発明の第１の態様のロールペーパー及びその製造工程を示す模式的な説明図である。
【図１５】本発明の第２の態様のロールペーパー及びその製造工程を示す模式的な説明図である。
【図１６】ハンドル部が直接ペーパーに取り付けられている態様のロールペーパーを示す模式的な部分斜視図である。
【図１７】ロールペーパーをセットした状態の本発明の第１の態様のロールペーパーディスペンサの更に別の例の模式的な縦断面図であり、
【図１８】本発明の第１の態様のロールペーパーディスペンサの更に別の例の自在拡幅ゴマを通るほぼ水平方向の模式的な部分断面図である。
【図１９】使用時に切り取られた状態の本発明の第１の態様のロールペーパーを示す模式的な斜視図である。
【図２０】使用時に切り取られた状態の本発明の第２の態様のロールペーパーを示す模式的な斜視図である。
【図２１】本発明の第１の態様のロールペーパーディスペンサの例の模式的な部分分解斜視図である。
【図２２】左右自在ホルダー部の状態を説明するための模式的な部分断面図である。
【図２３】セットヘルパーがセットヘルパーカッター誘導溝に沿って引き下ろされる状態を示す模式的な部分正面図である。
【図２４】セットヘルパーが外れた状態の本発明の第１の態様のロールペーパーを示す模式的な部分正面図である。
【図２５】ロールペーパーをセットされた従来のロールペーパーディスペンサの模式的な斜視図である。
【符号の説明】
【００６０】
１  左右自在ホルダーストッパー付カバー部
１1  逆止弁付カバー部
１2  逆止弁
１3  上部開口部
１4  開口部
１5  ストッパー
２  左右自在ホルダー部
３  下部開口部
３1  落下防止スプリングホック
３2  溝穴
４  受け掛け兼用ハンガー部
５  ペーパーハウス部
５1  回転ローラー
５2  貫通口
６  左右拡幅ガイド上部
６1  自在拡幅ゴマ
６2、６4  拡幅ガイドプレート部
６3  自在拡幅ゴマバネ
７  前部自在ガイドプレート部
７1  前部Ｔ型自在ガイドプレート部
８  セットヘルパーカッター誘導溝
９  後部固定ガイドプレート部
１０  サンドカッター部
１０1  サンドカッター掛け穴掛け凸部
１０2  サンドカッター掛け穴掛け凹部
【００６１】
１１  拡幅ガイドプレート付カバー部
１２  回動自在天井部
１２1  回動自在天井凹部
１２2  回動自在天井凸部
１２3  回動自在天井部嵌合間隙
１２4  駐止凹凸部
１３  取り付けプレート部
１４  下部回動誘導凹部
１４1  下部回動誘導凸部
１５  スプリングハウス部
１５1  スプリング
１６  セットレバー部
１６1  セットレバー
１６2  挿通プレート
１６3  遊び溝
１７  固定ガイドプレート部
１８  自在ガイドプレート部
１９  ペーパーハウス部
１９1  ホルダーローラー
２０  セットレバー誘導溝
【００６２】
２１、２２  ロールペーパー
２１1  芯
２３、２３1、２３2、２４、２４1、２４2、２９縁部
２５、２５1、２５2  開口部
２６、２８  結合部
２７  ミシン目
２８1  サンドカッター掛け穴
２８2  サンドカッター掛け穴抜き凸部
３０  表折れ誘導模様
３１、３２  セットヘルパー
３１1  ハンドルミシン目
３１2  ハンドル部
３３、３３1  挿通プレート挿入口
３４、３５  おもて紙
３６、３７  うら紙
３８  両縁部プレスローラー
３９  片縁部プレスローラー
４０、４１  プレスローラー
４１1  ミシン目用プレスローラー
４２  カッター
４３  上部プレス
４４  下部プレス
４５  末端部
Ａ、Ｂ、Ｃ、Ｄ  ロールペーパーディスペンサ
【図１】
2009106348.tif 000003
【図２】
2009106348.tif 000004
【図３】
2009106348.tif 000005
【図４】
2009106348.tif 000006
【図５】
2009106348.tif 000007
【図６】
2009106348.tif 000008
【図７】
2009106348.tif 000009
【図８】
2009106348.tif 000010
【図９】
2009106348.tif 000011
【図１０】
2009106348.tif 000012
【図１１】
2009106348.tif 000013
【図１２】
2009106348.tif 000014
【図１３】
2009106348.tif 000015
【図１４】
2009106348.tif 000016
【図１５】
2009106348.tif 000017
【図１６】
2009106348.tif 000018
【図１７】
2009106348.tif 000019
【図１８】
2009106348.tif 000020
【図１９】
2009106348.tif 000021
【図２０】
2009106348.tif 000022
【図２１】
2009106348.tif 000023
【図２２】
2009106348.tif 000024
【図２３】
2009106348.tif 000025
【図２４】
2009106348.tif 000026
【図２５】
2009106348.tif 000027